(57)【要約】      （修正有）【課題】組み立て作業における作業性を向上させる園芸鋏を提供する。【解決手段】園芸鋏１は、握り柄端部６に取付けられたバンド１０を、握り柄端部７に掛けまわし、握り柄間を開放状態に付勢するバネ９に抗して、閉塞状態にできる、握り柄端部６には、バンド１０がその幅方向に通過できる幅の開口を持つ開口部１１ａ、１１ｂを前後に設けられる。前後の開口部１１ａ、１１ｂの間は、括れ形状となる左右の係止片１１ｃを設け、この間隔をバンド１０の幅よりも狭く、かつバンド１０がその厚さ方向に通過できる間隔の開口により連結されている。【選択図】図１
0003145802.tif 000002
【実用新案登録請求の範囲】
【請求項１】
一方の握り柄端部に取付けられたバンドを、他方の握り柄端部に掛けまわし、握り柄間を開放状態に付勢するバネに抗して、閉塞状態にできる園芸鋏において、
前記一方の握り柄端部に、バンドがその幅方向に通過できる幅の開口を持つ開口部を前後に設け、かつその前後の開口部の間は、当該前後の開口部の開口から括れ形状となる左右の係止片を設け、当該係止片の間の間隔を当該バンドの幅よりも狭く、かつバンドがその厚さ方向に通過できる間隔とした開口により前後の開口部の開口を連結していることを特徴とする園芸鋏。
【考案の詳細な説明】
【技術分野】
【０００１】
本考案は、開放方向に付勢された握り柄の開き止めをするバンドを有する園芸鋏に関する。
【背景技術】
【０００２】
握り柄に、開き止めバンドを有する園芸鋏として特許文献１に示すような園芸鋏が知られている。この園芸鋏は、一方の握り柄端部にバンド挿通孔を設け、バンド挿通孔に開き止めの可塑性バンドを挿通して、膨出部７でバンド挿通孔に係止している。ここに開示される係止方式は、膨出部を穴に係止する際に従来から行われた膨出部を穴に挿入する方式ではなく、これとは逆にループ状に呈した可塑性のバンドを折り畳んで、バンド側から穴に挿通することにより、膨出部において抜け止めとするものである。
【特許文献１】特開平１０−１６４９８０号公報
【考案の開示】
【考案が解決しようとする課題】
【０００３】
しかしながら、このような園芸鋏においては、可塑性バンドを折り畳んだ時点で、バンドの折り曲げ部が完全に畳まれず輪状となり、膨らみが生じてバンド挿通孔に匹敵或いはこれよりも大きい大きさとなる。この折り畳み部を頭にしてバンド挿通孔にバンドを挿通しようとすると、大きな力を必要とする。
【０００４】
本考案は、可塑性バンドを折り畳んで挿通するのではなく、力を要せずに握り柄端部に設けられる開口部にバンドを係止めて、園芸鋏の組み立て作業における作業性を向上させたものである。
【課題を解決するための手段】
【０００５】
かかる目的を達成するために、本考案では開口部の形状を特殊なものとして、バンドを係止めるものである。より具体的には、一方の握り柄端部に取付けられたバンドを、他方の握り柄端部に掛けまわし、握り柄間を開放状態に付勢するバネに抗して、閉塞状態にできる園芸鋏において、前記一方の握り柄端部に、バンドがその幅方向に通過できる幅の開口を持つ開口部を前後に設け、かつその前後の開口部の間は、当該前後の開口部の開口から括れ形状となる左右の係止片を設け、当該係止片の間の間隔を当該バンドの幅よりも狭く、かつバンドがその厚さ方向に通過できる間隔とした開口により前後の開口部の開口を連結していることを特徴とする。
【考案の効果】
【０００６】
本考案によれば、力を要せずに握り柄端部に設けられる開口部にバンドを係止めて、園芸鋏の組み立て作業における作業性を向上させることができる。
【考案を実施するための最良の形態】
【０００７】
以下、本考案の実施例を図面に基づいて具体的に説明する。図１において、園芸鋏１は、一対の鋏構成部材２，３からなっている。それぞれ鋏構成部材２、３は、刃部４、５及び握り柄６、７により形成されている。鋏構成部材２、３は互いに交差し、支軸８により回動自在に軸着されている。
【０００８】
握り柄６、７の内側には、ばね９が装着され、両鋏構成部材２、３を開放方向に付勢している。握り柄６、７は、塩化ビニール６ａ、７ａでコーティングされ、握りの柔軟性を持たせている。ている。塩化ビニール６ａ、７ａによるコーティングは、溶液状の塩化ビニールに握り柄６、７の部分だけ漬けて引き抜き、硬化さすることにより実施する。一方の握り柄（本実施例においては、握り柄６）の端部には、開口部１１が設けられバンド１０が取付けられている。バンド１０は、両鋏構成部材２、３の開き止め用途に資するものである。バンド１０は、軟質の合成樹脂やゴム等の可撓性材で形成されており、本実施例においては塩化ビニールを素材としている。
【０００９】
図２に示すように、開口部１１は、前後の開口部１１ａ、１１ｂの円形（或いはイチヂク状）開口の間を括れ形状の開口が連結した「ひょうたん型」の開口を形成している。開口部１１の各位置における幅について説明すると、２つの円形開口部１１ａ、１１ｂにおける開口幅Ｗ１、Ｗ２は、バンド１０の幅ｗをもってして通過できる大きさであり、２つの円形開口部１１ａ、１１ｂが連結し、幅方向の左右から開口11が括れる形状となるように係止片１１ｃ、１１ｄを形成しており、この係止片１１ｃ、１１ｄ間における開口の幅Ｗ３はバンド１０の幅ｗよりも狭い。開口幅Ｗ３は、厚さｄのバンド１０が、厚さ方向に通り抜けられる厚さである。バンド１０が可撓性材であり、かつ、開口部１１には柔軟性のある塩化ビニールでコーティングされているため、両者はその柔軟性により若干変形することができる。従って、バンド１０の幅ｗ及び厚さｄは、開口幅Ｗ１、Ｗ２、Ｗ３よりも夫々若干大きくても良い。係止片１１ｃ、１１ｄの前後の開口部１１ａ、１１ｂの開口に夫々バンド１０が入出しており、係止片１１ｃ、１１ｄによりこれよりも広い幅ｗを持つバンド１０が、開口部１１から離脱できないようになっている。開口部１１は、握り柄６を形成する素材から打ち抜き加工することにより、簡単に穿孔することができる。
【００１０】
図３は、バンド１０を示す図である。図３Ａに示すバンド１０は、板状物を閉ループ状とした形状を有している。バンド１０の幅ｗは、先に示したように開口部１１ａ、１１ｂにおける幅Ｗ１、Ｗ２に相当している。厚さｄは、バンド１０の幅ｗよりも薄くなっている。厚さｄは、閉ループ全周に渡って均一でも良いし、部分的にやや厚い箇所を設けても良いが、幅は超えないものとする。図３Ｂは部分的にやや厚い箇所を設けたバンド１０であり、部分１０ａ及び１０ｂの箇所において厚さが部分的に厚くなっている。この厚さｄは幅ｗよりも小さい。部分的に厚くしたのは、バンド１０を指に通したときに指の背に当たるようにしたり、開口部１１の裏側に位置させてこの部分を曲がり難くさせたりするためである。
【００１１】
バンド１０を開口部１１に係止するときは、握り柄６の握られる側から係止片１１ｃ、１１ｄの間に対して、バンド１０の厚さ側面が正対するように捻った状態で押し込み（図４を参照）、押し込んだバンド１０の部分が開口部１１の裏側に達したら、捻りを元に戻して図１に示す状態とする。
【００１２】
開口部１１の係止片１１ｃ、１１ｄの間の間隔がバンド1０よりも狭い幅Ｗ３であるので、バンド１０が引っかかり脱落が防止できる。図３Ｂのように、バンド１０に厚さの厚い部分１０ａ、１０ｂがある場合は、さらにバンド１０を開口部１１の係止片１１ｃ、１１ｄに係止したまま、周方向に回転させて、一方の部分１０ａ又は１０ｂを係止片１１ｃ、１１ｄの裏側へ移動させる。
【００１３】
バンド１０を指に掛ける際には図１に示すように、握り柄６を手に握る側にバンド１０を延在させた状態で掛ける。握り柄間を開放状態に付勢するバネ９に抗して、バンド１０により握り柄６、７を閉塞状態する場合には、図５に示すように、握り柄６の裏側であって図５のイ方向に、引き出して握り柄７端部の握り側に掛けまわす。或いは、図１の状態から、バンド１０を、握り柄６の外壁に沿うように反転させ、その後握り側に掛けまわしても良い。
【００１４】
上記実施例においては、開口部１１の円形状の開口部１１ａ、１１ｂを連ねたものとしたが、多角形状の開口部を連ねたものでも良い。
【図面の簡単な説明】
【００１５】
【図１】本考案に係る園芸鋏１の斜視図である。
【図２】園芸鋏１からバンド１０を取り除いた状態を示す斜視図である。
【図３】バンド１０を示す図である。
【図４】バンド１０を開口部１１に係止する途中の状態を示す図である。
【図５】バンド１０により握り柄６、７を閉塞にした状態を示す図である。
【符号の説明】
【００１６】
１：園芸鋏
６、７：握り柄
１０：バンド
１１：開口部
【図１】
0003145802.tif 000003
【図２】
0003145802.tif 000004
【図３】
0003145802.tif 000005
【図４】
0003145802.tif 000006
【図５】
0003145802.tif 000007